(57)【要約】  【課題】利用中であっても、カラオケ演奏装置から新規情報を随時ダウンロードでき、保持する情報を更新可能とするカラオケリモコン装置の提供。  【解決手段】情報を書き換え可能に記憶する複数の記憶部（２ａ，２ｂ）と、当該各記憶部が利用対象になっているか否かの判別をする利用対象判別手段（３）と、新規情報が転送される際、その時点において利用対象となっていない記憶部へ当該新規情報を転送して情報を更新する情報転送更新手段（４）と、当該情報更新が行われた記憶部に利用対象を切り替える利用対象切替手段（５）と、新たに利用対象となった記憶部の情報に基づいて、利用対象から外れた記憶部の情報を更新する記憶情報更新手段（６）とを具備。【選択図】図３
2005134595.tif 000002
【特許請求の範囲】
【請求項１】
所望の楽曲をカラオケ演奏装置へ演奏予約するためのカラオケリモコン装置において、情報を書き換え可能に記憶する複数の記憶部と、当該各記憶部が利用対象になっているか否かの判別をする利用対象判別手段と、カラオケ演奏装置から新規情報が転送される際、その時点において利用対象となっていない記憶部へ当該新規情報を転送して情報を更新する情報転送更新手段と、当該情報更新が行われた記憶部に利用対象を切り替える利用対象切替手段と、前記新たに利用対象となった記憶部の情報に基づいて、利用対象から外れた記憶部の情報を更新する記憶情報更新手段と、を具備してなるカラオケリモコン装置。
【発明の詳細な説明】
【技術分野】
【０００１】
本発明は、利用者が所望する楽曲をカラオケ演奏装置へ予約登録するためのカラオケリモコン装置に関し、さらに詳しくは、利用中であっても、保持する情報を更新可能なカラオケリモコン装置に関する。
【背景技術】
【０００２】
最近、分厚い印刷物のカラオケ目次本を電子化すべく、パームトップ型コンピュータを応用した検索式カラオケ選曲リモコン（以下、カラオケリモコン装置）が普及している。これは、基本構成として、利用者に向けて楽曲索引などの各種情報を提示すると共に、利用者による操作入力を受け付ける利用者インタフェース手段と、操作入力に応答してカラオケ装置に対して演奏予約に関わるリモコン信号を発信する手段とを備え、利用者が希望の楽曲を楽曲索引データベースに基づいて検索するための処理を利用者インタフェースの媒介で実行し、検索結果として特定された楽曲をカラオケ演奏装置に演奏予約するように構成されている。
【０００３】
図１は、このようなカラオケリモコン装置の概略的な外観図である。
カラオケリモコン装置（Ｒ１）本体の形状は、両手を軽く開いた状態で持てる程度の幅長を有した横長サイズのパネル状のもので、その本体前面には液晶ディスプレイ（通称ＬＣＤ）（Ｒ２）が配設されており、さらに、このディスプレイ（Ｒ２）の表面部にはタッチパネル式の操作パネル（Ｒ３）が積層されている。また、その上端面には、発光ダイオード（通称ＬＥＤ）による赤外線転送部（Ｒ４）が設けられ、その下端面には、リモコン架台（以下「クレードル」と称す）に装着して接続するための接続端子（Ｒ５）がある。なお、側面部などには外部のコンピュータとデータ通信を行うためのＲＳ２３２Ｃ規格のインターフェイス用端子が配設されている場合もある。
【０００４】
次に、図２は、従来のカラオケリモコン装置の内部構成機能ブロック図である。
先ず、書き換え可能に記憶する記憶部として機能するフラッシュメモリ（Ｒ８）には、利用可能な楽曲についての曲名・アーティスト名・歌詞の歌い出し部分などの各曲の属性情報などが楽曲コードに紐付けされて格納され、楽曲索引データベースを管理しており、利用者が入力した検索キーワードに関するクエリーとしてデータベースが照会される。
【０００５】
そして、主制御部である中央制御手段（Ｒ７）は、カラオケ演奏装置（Ｐ）との通信を制御する通信制御手段（Ｒ６）と接続されており、クレードル（ＣＲ）を介して新曲の属性情報などの新規情報をダウンロードし、その記憶部たるフラッシュメモリ（Ｒ８）に格納することで楽曲索引データベースが適時更新される。また、中央制御手段（Ｒ７）は、操作制御手段（Ｒ９）が制御している操作パネル（Ｒ３）からの入力情報を受け取ると、内部のＲＯＭに用意されている画像データや、入力情報に応じた処理結果を反映させた画像データをビデオＲＡＭにビットマップ展開すると共に、ＬＣＤドライバ（ＣＤＤ）を制御して、このビットマップ画像をＬＣＤ（Ｒ２）に表示出力させる。それにより、カラオケリモコン装置は利用者にＧＵＩ環境を提供し、中央制御手段（Ｒ７）が利用者とＧＵＩによる対話を通じて楽曲索引データベースを検索し、その検索結果を電子目次本として出力表示させている。
【０００６】
また、中央制御手段（Ｒ７）は、電子目次本から最終的に利用者が選択した１つの演奏楽曲を提示した状態で、その楽曲を演奏予約する旨の入力があれば、楽曲番号を含んだ予約楽曲コードを生成し確定し、そのコードをＬＥＤドライバ（ＥＤＤ）に転送する。このＬＥＤドライバ（ＥＤＤ）は、このコードの変調信号をＬＥＤ（Ｒ４）に与え、カラオケ演奏装置（Ｐ）に演奏予約のための赤外線信号を送信させ、カラオケ演奏装置（Ｐ）は、この楽曲予約データを受信すると、そのデータに含まれている楽曲番号を演奏予約の待ち行列として管理し、その待ち行列からピックアップした楽曲番号に対応する楽曲を順次演奏するものである。なお、電子目次本機能と予約楽曲コードの送信に係わる処理を実行する一方で、演奏予約された楽曲についての履歴も管理しており、その記憶部たるフラッシュメモリ（Ｒ８）には、演奏予約された演奏楽曲についての履歴を最新の予約楽曲から所定曲数分記憶されており、予約楽曲コードの送信毎に、その楽曲番号を最近の演奏予約履歴として記憶すると共に履歴中で最も古い楽曲番号を削除するものである。
【０００７】
このタイプのカラオケリモコン装置は、通常、利用されていない時にはクレードルに装着される。このクレードルとは、特許第３０８９５２９号（特許文献１）にも開示されているように、カラオケリモコン装置に内蔵された二次電池を充電する機能と、カラオケ演奏装置とカラオケリモコン装置とを通信させてリモコン装置の記憶部に保存されている楽曲索引データベースを更新する機能とを担っている。具体的には、このクレードルには、ＣＰＵ・ＲＡＭ・ＲＯＭを含む中央制御部と、カラオケリモコン装置の電源入力端子と結合する給電端子を介して二次電池に電力を供給するための給電制御部と、カラオケリモコン装置のデータ端子と結合するコネクタを含んで、カラオケリモコン装置とデータ通信を行うためのリモコン装置通信制御部と、カラオケ装置とデータ通信するためのカラオケ通信制御部などが実装されている。
【０００８】
さて、特開２００３−２４１７７２公報（特許文献２）にも開示されているように、カラオケ演奏装置には、楽曲の伴奏音楽や歌詞画像の生成起源となるカラオケ楽曲データベースと、カラオケリモコン装置と同様の楽曲索引データベースが付帯されているが、各カラオケ演奏装置はネットワーク通信回線を介してカラオケホスト装置と適時に通信され、その記憶部には新曲の属性情報などの新規情報が随時追加登録されている。そして、このカラオケ演奏装置に対応しているカラオケリモコン装置がクレードルに装着されると、カラオケ演奏装置からクレードルを介して、当該新規情報がカラオケリモコン装置の所定の記憶部に転送され、自身の情報が更新される。
【特許文献１】特許第３０８９５２９号公報
【特許文献２】特開２００３−２４１７７２公報
【発明の開示】
【発明が解決しようとする課題】
【０００９】
しかしながら、このような従来技術では、カラオケリモコン装置は、通常、利用されていない時にクレードルに装着されるが、これは、当該リモコン装置の記憶部として機能するフラッシュメモリが一つしか設けられていないため、このフラッシュメモリの情報を更新している間はデータベースを利用することができない。このため、カラオケリモコン装置の情報更新は、従来、利用者が利用しない深夜に行わなければならないとか、あるいは一時的に利用を禁止する時間帯を設けなければならないといった不都合があった。
【００１０】
本発明は、上記の問題や不都合を解消するために想到されたもので、すなわち、利用中であっても、カラオケ演奏装置から新規情報を随時ダウンロードでき、保持する情報を更新可能とするカラオケリモコン装置の提供を課題とする。
【課題を解決するための手段】
【００１１】
上記課題を解決するために、本発明のカラオケリモコン装置は、所望の楽曲をカラオケ演奏装置へ演奏予約するためのカラオケリモコン装置において、情報を書き換え可能に記憶する複数の記憶部と、当該各記憶部が利用対象になっているか否かの判別をする利用対象判別手段と、カラオケ演奏装置から新規情報が転送される際、その時点において利用対象となっていない記憶部へ当該新規情報を転送して情報を更新する情報転送更新手段と、当該情報更新が行われた記憶部に利用対象を切り替える利用対象切替手段と、前記新たに利用対象となった記憶部の情報に基づいて、利用対象から外れた記憶部の情報を更新する記憶情報更新手段と、を具備してなることを特徴とする。
【発明の効果】
【００１２】
前述の如く、本発明のカラオケリモコン装置では、情報の記憶部を複数（通常は二つ）備え、利用されている記憶部と利用されていない記憶部の判断を行い、先ず、利用されていない記憶部にカラオケ演奏装置から新規情報を転送して情報更新し、当該記憶部の情報更新がなされると、当該記憶部に利用対象を切り替えると共に、この更新情報に基づき、利用対象から外れた別の記憶部の情報を更新するため、利用の有無を問わず、カラオケ演奏装置からは新規情報を随時ダウンロードでき、保持する情報が更新できるといった優れた効果を奏する。
【発明を実施するための最良の形態】
【００１３】
以下、本発明のカラオケリモコン装置について最適な実施例を挙げ、さらに詳述する。
【実施例１】
【００１４】
図３は、本発明のカラオケリモコン装置の内部構成機能ブロック図である。すなわち、本発明のカラオケリモコン装置（１）は、二つの個別のフラッシュメモリからなり、情報を書き換え可能に記憶する第一記憶部（２ａ）と第二記憶部（２ｂ）、当該各記憶部が利用対象になっているか否かの判別をする利用対象判別手段（３）、カラオケ演奏装置から新規情報が転送される際、その時点において利用対象となっていない記憶部へ当該新規情報を転送して情報を更新する情報転送更新手段（４）、当該情報更新が行われた記憶部に利用対象を切り替える利用対象切替手段（５）と、新たに利用対象となった記憶部の情報に基づいて、利用対象から外れた記憶部の情報を更新する記憶情報更新手段（６）の他、前述したように、中央制御手段（７）、通信制御手段（８）、操作制御手段（９）、操作パネル（１０）、ＬＣＤ（１１）、ＬＥＤ（１２）などを主な構成要件とする。
なお、本実施例では、二つの個別のフラッシュメモリを採用しているが、一つのフラッシュメモリであってもよく、例えば、ソフト面でパーテーションにて区切り、擬似的に複数の記憶部にして、各記憶部を個別に管理するように設計しても構わない。
【００１５】
第一記憶部（２ａ）と第二記憶部（２ｂ）には、それぞれ楽曲索引データベースを格納して管理し、この楽曲索引データベースには、カラオケ演奏装置で演奏に供される多数の楽曲についての楽曲番号・曲名・アーティスト名・歌い出し部分の歌詞・流行時期・音楽ジャンル区分・使用された映画やテレビドラマのタイトル・使用されたテレビＣＭ・各種音楽賞の受賞経歴・デュエット曲か否かなど、様々な情報がこれに含まれている。さらには、予約送信履歴簿を管理し、リモコン信号の送信機会毎に該当の楽曲番号を予約送信履歴簿に記録する。
【００１６】
この第一記憶部（２ａ）と第二記憶部（２ｂ）には、利用対象になっているか否かのフラグ情報が設定されており、所定のカラオケ演奏装置から新規情報が転送される際、その時点において利用されている片方の記憶部（以下、「第一記憶部（２ａ）」と仮定）にはフラグを立てて、利用対象判別手段（３）は、このフラグの有無を読み取り、当該各記憶部（２ａ，２ｂ）に対し、利用対象になっているか否かの判別をする。
なお、本発明では、このようなソフト面の他、ハード面で判別してもよく、例えば、利用のための回路に切り替えスイッチを配し、当該スイッチが第一記憶部と第二記憶部の何れの回路に接続しているのかを機械的に検出するように設計しても構わない。
【００１７】
次に、情報転送更新手段（４）は、利用対象判別手段（３）から利用対象の情報を得ると、所定のカラオケ演奏手段からクレードルを介し、利用対象となっていない第二記憶部（２ｂ）へ新規情報を転送し、その情報を更新する。なお、本実施例では、情報転送更新手段（４）は通信制御手段（８）に組み込まれているが、本発明では、両者を別体として構成してもよい。
【００１８】
さらに、利用対象切替手段（５）は、第二記憶部（２ｂ）への情報更新がなされると、当該第二記憶部（２ｂ）に利用対象を切り替えると共に、記憶情報更新手段（６）は、第二記憶部（２ｂ）の更新情報に基づき、利用対象から外れた第一記憶部（２ａ）の情報を更新する。具体的には、新規情報に付帯した情報終了信号「Ｅｎｄ
Ｏｆ Ｆｉｌｅ」が第二記憶部（２ｂ）に送られ、情報更新が完了したと判定されると、前述したように、ソフト面ないしハード面にて、利用対象切替手段（５）は、利用対象を第一記憶部（２ａ）から第二記憶部（２ｂ）に切り替える。そして、切り替え完了信号を受け取った記憶情報更新手段（６）は、新規情報の追加、あるいは全情報の上書きの方式で、第二記憶部（２ｂ）の更新情報に基づき、第一記憶部（２ａ）の情報を更新する。勿論、この情報更新時であっても、第二記憶部（２ｂ）はデータの読み出しを行っているだけなので、特に、利用には何ら支障は生じない。なお、本実施例では、記憶情報更新手段（６）は中央制御手段（７）に組み込まれているが、本発明では、両者を別体として構成してもよい。
【００１９】
以下、図４に示す、本発明のカラオケリモコン装置を用いたシステムフロー図に基づいて、本発明をさらに詳述する。
【００２０】
先ず、カラオケ演奏装置は、対応するカラオケリモコン装置の情報更新履歴を確認し、あるいは、記憶部の情報内容を比較し、その結果、情報更新がなされていないと判断すると、当該リモコン装置へ新規情報を転送する旨の連絡をする。（Ｓ１）この連絡を受けると、利用対象判別手段は、各記憶部に対して、それぞれ利用対象になっているか否かの判別をする。（Ｓ２）そして、その時点において利用対象となっていない記憶部が確認されると、情報転送更新手段は新規情報を転送し、その情報を更新する。（Ｓ３）
【００２１】
次に、新規情報の転送が完了し、利用対象となっていない記憶部への情報更新がなされたと判定される（Ｓ４）と、今度は、当該リモコン装置が利用されているか否かの確認を行い（Ｓ５）、利用者が利用してないと判定される（Ｓ６）と、例えば、操作パネルからの信号の有無を検出し、信号が検出されなければ、そのタイミングにて、利用対象切替手段は利用対象を切り替える。（Ｓ７）そして、利用対象の切り替え記憶情報更新手段は、既に情報更新がなされ、新たに利用対象となった記憶部の情報に基づき、利用対象から外れた記憶部の情報を更新する。（Ｓ８）
【００２２】
以上、本発明のカラオケリモコン装置を用いた一連の情報交換処理が行われる。なお、カラオケ演奏装置から最初の記憶部への情報更新が完了するまでの間に、カラオケリモコン装置のクレードルへの着脱が行われるため、新規情報は、通常、カラオケリモコン装置がクレードルに装着した時間毎に順次分割されて転送される。ただし、カラオケリモコン装置自体にカラオケ演奏装置との無線ＬＡＮなどを利用して交信ができる機能を付帯させれば、新規情報は一括して転送される。
【００２３】
以上、詳述した如く、本発明のカラオケリモコン装置によれば、情報の記憶部を複数備え、先ず、利用されている記憶部と利用されていない記憶部の判断を行い、利用されていない記憶部にカラオケ演奏装置から新規情報を転送して情報更新し、当該記憶部の情報更新がなされると、当該記憶部に利用対象を切り替えると共に、この更新情報に基づき、利用対象から外れた別の記憶部の情報を更新するため、利用の有無を問わず、カラオケ演奏装置からは新規情報を随時ダウンロードでき、保持する情報が更新できる。
【図面の簡単な説明】
【００２４】
【図１】カラオケリモコン装置の概略的な外観図。
【図２】従来のカラオケリモコン装置の内部構成機能ブロック図。
【図３】本発明のカラオケリモコン装置の内部構成機能ブロック図。
【図４】本発明のカラオケリモコン装置を用いたシステムフロー図。
【符号の説明】
【００２５】
１    カラオケリモコン装置
２ａ  第一記憶部
２ｂ  第二記憶部
３    利用対象判別手段
４    情報転送更新手段
５    利用対象切替手段
６    記憶情報更新手段
【図１】
2005134595.tif 000003
【図２】
2005134595.tif 000004
【図３】
2005134595.tif 000005
【図４】
2005134595.tif 000006